(57)【要約】【課題】パネル同士の連結部における連結強度を高めるとともに、パネル同士を密接に接合することができる空気調和機を提供する。【解決手段】断熱パネルは、外側面に配置する外側壁板１０１および内側面に配置する内側壁板１０２を有するとともに、外側壁板１０１および内側壁板１０２の周縁部を折り曲げて折込部１０３、１０４を形成し、かつ連結具１１４の締付け力を受ける連結用部材１０９を外側壁板１０１と内側壁板１０２の間に配置してなり、連結用部材１０９が連結具１１４の締付け力を受けて折込部１０３、１０４を他方の断熱パネルの内側壁板１０２に向けて押圧する。【選択図】図１
2010164217.tif 000002
【特許請求の範囲】
【請求項１】
ケーシングが複数の断熱パネルを接合してなり、断熱パネル同士の連結部において一方の断熱パネルにおける一辺の端面が他方の断熱パネルの内側面に当接し、他方の断熱パネルから一方の断熱パネルの端面に連結具を挿通し、少なくとも一方の断熱パネルは、外側面に配置する外側壁板および内側面に配置する内側壁板を有するとともに、前記一辺の端面側に外側壁板および内側壁板の周縁部を折り曲げて折込部を形成し、かつ前記連結具の締付け力を受ける連結用部材を外側壁板と内側壁板の間に配置してなり、連結用部材は連結具の締付け力を受けて折込部を他方の断熱パネルの内側面に向けて押圧する押圧部を有し、押圧部が一方の断熱パネルの前記一辺に沿って延在することを特徴とする空気調和機。
【請求項２】
前記一方の断熱パネルは、連結用部材の押圧部が一方の断熱パネルの前記一辺に沿った平坦部を有し、この平坦部で折込部を押圧することを特徴とする請求項１に記載の空気調和機。
【請求項３】
前記一方の断熱パネルは、外周端面を形成する枠体が外側壁板および内側壁板の折込部を挿入する保持部を有し、保持部が連結用部材の押圧部を受け止めることを特徴とする請求項１又は２に記載の空気調和機。
【請求項４】
前記枠体は、連結用部材を挿入する位置決め部を有することを特徴とする請求項３に記載の空気調和機。
【請求項５】
前記一方の断熱パネルは、枠体と連結用部材の少なくとも一方が双方の対向面間に断熱用空間を形成する凹部を有することを特徴とする請求項１から４の何れか１項に記載の空気調和機。
【請求項６】
前記一方の断熱パネルは、外側壁板と連結用部材の間および内側壁板と連結用部材の間に所定の隙間を有することを特徴とする請求項１から５の何れか１項に記載の空気調和機。
【発明の詳細な説明】
【技術分野】
【０００１】
本発明は空気調和機に関し、特にケーシングに係るものである。
【背景技術】
【０００２】
従来、この種の空気調和機では、一般的な構造として構造材をなすフレームに複数のパネルを固定してケーシングを構成していた。
また、例えば特許文献１に開示する空気調和機では、ケーシングを構成する複数のパネのそれそれが鋼板からなる外壁板と内壁板の間に発泡断熱材を注入してなり、外壁板および内壁板の各々の外端縁に折曲部を形成し、外壁板の折曲部と内壁板の折曲部との間に軟質発泡ウレタンシートからなる熱的絶縁材を介装している。
【０００３】
ケーシングは２つのパネルをＬ字状もしくはＴ字状に配置し、一方のパネルの端面をなす外壁板の折曲部がガスケットを介して他方のパネルの内壁板に当接し、他方のパネルの外壁板側から発泡断熱材および内壁板を貫いてボルトを挿通し、このボルトがガスケットと一方のパネルにおける外壁板の折曲部と熱的絶縁材と内壁板の折曲部とを貫通することで、双方のパネルを連にしている。
【０００４】
また、特許文献２に開示する空気調和機では、図７および図８に示すように、ケーシングを構成する複数の断熱パネル１のそれぞれが外周縁の枠体２に囲まれた内部に断熱材３を充填してなり、断熱材３の表裏を外壁板１ａと内壁板１ｂが覆っており、枠体２が断熱パネル１の相互間を連結接続する連結手段をなす。そして、枠体２に形成した凹部４に嵌合材５を配置し、相互に対向する枠体２を嵌合材５で連結している。
【先行技術文献】
【特許文献】
【０００５】
【特許文献１】特開平１０−１１０９６４号公報
【特許文献２】特開２００７−２７１１４０号公報
【発明の概要】
【発明が解決しようとする課題】
【０００６】
上記した従来の構成では、空気調和機の容量の増加に伴ってケーシングも大型化し、各断熱パネル１の形状も大きくなる。このため、図７および図８に示すように、断熱パネル１の連結力を補強するためにＬ字型の連結補強ブラケット６を接合対象の断熱パネル１の相互間に配置し、ビス７によって連結補強ブラケット６を断熱パネル１の内壁板１ｂに固定している。
【０００７】
しかしながら、断熱パネル１の形状が大きくなると凹部４および嵌合材５も大きくなり、凹部４に嵌合材５を押し込むために大きな力が必要となり、組立て作業性が悪くなる。連結補強ブラケット６を固定するビス７は断熱パネル１の薄い肉厚の内壁板１ｂに螺合するので、断熱パネル１に内側から外側へ向けて強い力が作用するとビス７が内壁板１ｂから外れる場合がある。また、断熱パネル１は空気調和機を設置する現場でケーシングに組み立てるので、搬送時もしくは組立て作業時の取り扱い方、さらには設置場所の水平度等によっては、組み上げた状態において断熱パネル１に歪みが生じ、断熱パネル１の連結部に隙間が生じて気密性が損なわれる場合がある。
【０００８】
本発明は上記した課題を解決するものであり、パネル同士の連結部における連結強度を高めるとともに、パネル同士を密接に接合することができる空気調和機を提供することを目的とする。
【課題を解決するための手段】
【０００９】
上記課題を解決するために、本発明の空気調和機は、ケーシングが複数の断熱パネルを接合してなり、断熱パネル同士の連結部において一方の断熱パネルにおける一辺の端面が他方の断熱パネルの内側面に当接し、他方の断熱パネルから一方の断熱パネルの端面に連結具を挿通し、少なくとも一方の断熱パネルは、外側面に配置する外側壁板および内側面に配置する内側壁板を有するとともに、前記一辺の端面側に外側壁板および内側壁板の周縁部を折り曲げて折込部を形成し、かつ前記連結具の締付け力を受ける連結用部材を外側壁板と内側壁板の間に配置してなり、連結用部材は連結具の締付け力を受けて折込部を他方の断熱パネルの内側壁板に向けて押圧する押圧部を有し、押圧部が一方の断熱パネルの前記一辺に沿って延在することを特徴とする。
【００１０】
また、前記一方の断熱パネルは、連結用部材の押圧部が一方の断熱パネルの前記一辺に沿った平坦部を有し、この平坦部で折込部を押圧することを特徴とする。
また、前記一方の断熱パネルは、外周端面を形成する枠体が外側壁板および内側壁板の折込部を挿入する保持部を有し、保持部が連結用部材の押圧部を受け止めることを特徴とする。
【００１１】
また、前記枠体は、連結用部材を挿入する位置決め部を有することを特徴とする。
また、前記一方の断熱パネルは、枠体と連結用部材の少なくとも一方が双方の対向面間に断熱用空間を形成する凹部を有することを特徴とする。
【００１２】
また、前記一方の断熱パネルは、外側壁板と連結用部材の間および内側壁板と連結用部材の間に所定の隙間を有することを特徴とする。
【発明の効果】
【００１３】
以上のように本発明によれば、一方の断熱パネルの連結用部材がその押圧部で外側壁板と内側壁板の折込部を他方の断熱パネルの内側面に押圧することで、連結具の締付け力を受ける連結用部材の抜け出しを外側壁板と内側壁板の折込部で防止して連結部における連結強度を高めることができ、連結用部材の押圧部が断熱パネルの一辺に沿って延在することで、断熱パネル同士を密接に接合することができる。さらに、連結用部材の押圧部が一方の断熱パネルの一辺に沿った平坦部で折込部を押圧することにより、連結部において断熱パネルに歪みが生じることを防止し、断熱パネルの相互間に隙間が生じて気密性が損なわれることを防止する。
【００１４】
枠体と連結用部材の少なくとも一方が双方の対向面間に断熱用空間を形成する凹部を有することで、あるいは外側壁板と連結用部材の間および内側壁板と連結用部材の間に所定の隙間を有することで、連結部の断熱性が向上し、結露防止および熱損失の低減を実現できる。
【図面の簡単な説明】
【００１５】
【図１】本発明の実施の形態における断熱パネルの連結部を示す断面図
【図２】本発明の他の実施の形態における断熱パネルの連結部を示す断面図
【図３】本発明の他の実施の形態における断熱パネルの連結部を示す断面図
【図４】本発明の他の実施の形態における断熱パネルの連結部を示す断面図
【図５】本発明の断熱パネルの要部を示す断面図
【図６】本発明の実施の形態におけるケーシングの構成を示す模式図
【図７】従来の断熱パネルの連結部を示す断面図
【図８】従来の断熱パネルの連結部を示す断面図
【発明を実施するための形態】
【００１６】
以下、本発明の実施の形態を図面に基づいて説明する。
（全体構造）
図６に示すように、空気調和機のケーシング５１は、側壁をなす複数の壁板パネル５２を立設し、壁板パネル５２の上端に天井部をなす複数の天板パネル５３を配置し、ケーシング５１の内部に隔壁をなす中仕切パネル５４を立設し、各パネルを相互に接合して組み立てた構造をなし、開口部に扉パネル５５を配置しており、別途に骨組の構造材を必要としないフレームレス構造である。なお、図６においては後述する連結用部材１０９を便宜的に可視的に表示しているが、連結用部材１０９はパネル内部に配置するものである。
【００１７】
壁板パネル５２、天板パネル５３、中仕切パネル５４、扉パネル５５は基本的に同じ断熱パネルの構造を有しており、図１に示すように、壁板パネル５２、天板パネル５３、中仕切パネル５４の断熱パネルは、外側面に配置する外側壁板１０１および内側面に配置する内側壁板１０２を有するとともに、金属薄板からなる外側壁板１０１および内側壁板１０２の周縁部を折り曲げて折込部１０３、１０４を形成している。
【００１８】
図５に示すように、断熱パネルは、パネル外周端面を形成する樹脂製の枠体１０５が保持部１０６を有し、保持部１０６に形成した溝１０７に外側壁板１０１および内側壁板１０２の折込部１０３、１０４を挿入しており、枠体１０５に囲まれた外側壁板１０１と内側壁板１０２の間に断熱材１０８をなすウレタンを充填している。
【００１９】
断熱パネル同士の連結部は、壁板パネル５２同士の連結部であっても、壁板パネル５２と中仕切パネル５４との連結部であっても、壁板パネル５２と天板パネル５３との連結部であっても、中仕切パネル５４と天板パネル５３との連結部であっても基本的に同様であり、ここでは、図１に示す壁板パネル５２同士の連結部を例に説明する。
【００２０】
断熱パネル同士の連結部では、一方の壁板パネル５２の一辺の端面が他方の壁板パネル５２の内側面にガスケット５６を介して当接している。一方の壁板パネル５２の辺縁部には外側壁板１０１と内側壁板１０２の間に型鋼材等からなる断面コ字状の連結用部材１０９を配置してある。連結用部材１０９は、折込部１０３、１０４の先端間の間隔より幅が広く、かつ連結用部材１０９の両辺部１０９ａと外側壁板１０１の間および内側壁板１０２の間に所定の隙間１１０を有し、この間隙１１０に断熱材１０８を介装している。
【００２１】
連結用部材１０９は少なくとも両肩部が枠体１０５の保持部１０６に当接する押圧部１１１をなす。押圧部１１１は一方の壁板パネル５２の一辺に沿って延在する平坦部１１２を形成しており、枠体１０５の保持部１０６を介して平坦部１１２で折込部１０３、１０４を押圧する。
【００２２】
連結用部材１０９に対向する枠体１０５の対向面には断熱用空間を形成する凹部１１３を形成している。しかしながら、連結用部材１０９と枠体１０５の対向面間に断熱用空間を形成する凹部は枠体１０５と連結用部材１０９の少なくとも一方に形成すればよい。
【００２３】
他方の壁板パネル５２から一方の壁板パネル５２の端面にボルトからなる連結具１１４を挿入し、連結用部材１０９の螺子孔１１５に連結具１１４を螺合させている。この連結具１１４の締付け力を受ける連結用部材１０９の押圧部１１１を枠体１０５の保持部１０６が受け止め、押圧部１１１は平坦部１１２で枠体１０５の保持部１０６を介して折込部１０３、１０４を他方の壁板パネル５２の内側壁板１０２に向けて押圧する。
【００２４】
上記した構成により、従来のような連結補強ブラケットを必要とせずに、断熱パネル同士が直接的に密着することで、断熱パネル同士を９０度の角度を保って連結する保持力が高まり、ケーシング５１の剛性が向上する。
【００２５】
すなわち、一方の断熱パネル、ここでは壁板パネル５２の連結用部材１０９がその押圧部１１１で外側壁板１０１と内側壁板１０２の折込部１０３、１０４を他方の断熱パネル、ここでは壁板パネル５２の内側面に押圧することで、連結具１１４の締付け力を受ける連結用部材１０９の抜け出しを外側壁板１０１と内側壁板１０２の折込部１０３、１０４で防止して連結部１１４における連結強度を高めることができるとともに、連結用部材１０９の押圧部１１１が断熱パネルの一辺に沿って延在することで、断熱パネル同士を密接に接合することができる。このため、従来の構成と同強度を確保するための連結具１１４の本数が半減し、従来において必要であった断熱パネル間の嵌合材が不要となり、組立ての作業性が向上する。また、断熱パネルの辺縁部に連結用部材１０９の型鋼材を配置することで、断熱パネルの単体としての曲げ剛性が向上し、ケーシング５１の内圧を受けて外側へ撓むことを防止する。
【００２６】
さらに、連結用部材１０９の押圧部１１１が一方の壁板パネル５２の一辺に沿った平坦部１１２で折込部１０３、１０４を押圧することにより、連結部において壁板パネル５２に歪みが生じることを防止し、壁板パネル５２の相互間に隙間が生じて気密性が損なわれることを防止する。
【００２７】
また、保持部１０６が連結用部材１０９の押圧部１１１を受け止めることにより、押圧部１１１は断熱材１０８を介することなく保持部１０６、折込部１０３、１０４を押圧して挟持固定するので、連結強度をより高めることができる。
【００２８】
枠体１０５と連結用部材１０９の少なくとも一方が双方の対向面間に断熱用空間を形成する凹部１１３を有することで、あるいは外側壁板１０１と連結用部材１０９の間および内側壁板１０２と連結用部材１０９の間に所定の隙間１１０を有し、さらには隙間１１０に断熱材１０８を介装することで、連結部の断熱性が向上し、結露防止および熱損失の低減を実現できる。
【００２９】
また、枠体１０５が連結用部材１０９に対する位置決め部１２１を有することで、パネル成型時に連結用部材１０９の位置決めが容易になる。また、連結部の捩れにより連結具１１４や連結用部材１０９に押圧方向と交差する方向に力が掛かってもその力を位置決め部１２１で受け止めるので、連結を保持する力が高まるとともに、連結用部材１０９が外側壁板１０１または内側壁板１０２に接触することを防いで断熱性が損なわれることを防止する。
【００３０】
また、連結用部材１０９は外側壁板１０１または内側壁板１０２に沿うように両片部１０９ａを設けているので、連結具１１４や連結用部材１０９に押圧方向と交差する方向に力が掛かっても、その力を両片部１０９ａで受け止めるので連結を保持する力を高めることができる。
【００３１】
連結用部材１０９は、図６に示すように、壁板パネル５２、天板パネル５３、中仕切パネル５４の何れにも任意の要所に設けることが可能であり、ケーシング５１の要所に連結用部材１０９を配置することで、フレームレスであるにも拘わらず、フレーム構造に匹敵する筐体強度を実現できる。
【００３２】
図２に示すように、枠体１０５には断熱空間を形成する凹部１１３を閉空間部１１６として形成することも可能であり、連結具１１４に螺合する連結用部材１０９と外側壁板１０１の間および連結用部材１０９と内側壁板１０２の間を大きく隔てることにより、連結部の断熱性を高めることができ、結露防止および熱損失の低減を促進することができる。この場合に、連結用部材１０９は枠体１０５との間の断熱材１０８を介して折込部１０３、１０４を押圧する。
【００３３】
連結用部材１０９は断面コ字状の型鋼材に限るものではなく、種々の形状のものを採用できる。図３に示すように、板材の中央部に浅溝１１７を設けた連結用部材１１８でもよく、あるいは図４に示すように、板材の中央部にＶ字状溝１１９を設けた連結用部材１２０でもよい。
【符号の説明】
【００３４】
５１    ケーシング
５２    壁板パネル
５３    天板パネル
５４    中仕切パネル
５５    扉パネル
５６    ガスケット
１０１    外側壁板
１０２    内側壁板
１０３、１０４  折込部
１０５    枠体
１０６    保持部
１０７    溝
１０８    断熱材
１０９、１１８、１２０  連結用部材
１０９ａ  両辺部
１１０    隙間
１１１    押圧部
１１２    平坦部
１１３    凹部
１１４    連結具
１１５    螺子孔
１１６    閉空間部
１１７    浅溝
１１９    Ｖ字状溝
【図１】
2010164217.tif 000003
【図２】
2010164217.tif 000004
【図３】
2010164217.tif 000005
【図４】
2010164217.tif 000006
【図５】
2010164217.tif 000007
【図６】
2010164217.tif 000008
【図７】
2010164217.tif 000009
【図８】
2010164217.tif 000010